(57)【要約】【課題】過去の純正品判定結果の履歴に基づいて、今回の純正品判定結果の通知内容や通知方法を変更し、ユーザへの警告効果を高めることのできる画像形成装置を提供する。【解決手段】着脱可能な交換ユニットが純正品か非純正品かを識別する識別手段８１と、前記識別手段８１による識別結果に基づいて前記交換ユニットの交換履歴を管理する交換履歴管理手段８２と、前記識別手段８１による識別結果に基づいてメッセージを出力する報知手段８３とを備えてなる画像形成装置であって、前記報知手段８３は、前記交換履歴管理手段８２により管理される交換履歴に基づいて異なるメッセージを出力する。【選択図】図１
2008058457.tif 000002
【特許請求の範囲】
【請求項１】
着脱可能な交換ユニットが純正品か非純正品かを識別する識別手段と、前記識別手段による識別結果に基づいて前記交換ユニットの交換履歴を管理する交換履歴管理手段と、前記識別手段による識別結果に基づいてメッセージを出力する報知手段とを備えてなる画像形成装置であって、
前記報知手段は、前記交換履歴管理手段により管理される交換履歴に基づいて異なるメッセージを出力する画像形成装置。
【請求項２】
前記報知手段は、前記交換履歴に対応した複数のメッセージテーブルを備え、前記変換履歴と前記メッセージテーブルに基づいて特定されるメッセージを出力する請求項１記載の画像形成装置。
【請求項３】
前記メッセージテーブルは、前記識別手段により識別された前記交換ユニットの識別メッセージである請求項２記載の画像形成装置。
【請求項４】
前記メッセージテーブルは、前記交換ユニットの使用による前記画像形成装置に対する影響度合を伝達する警告メッセージである請求項２または３記載の画像形成装置。
【発明の詳細な説明】
【技術分野】
【０００１】
本発明は、着脱可能な交換ユニットが純正品か非純正品かを識別する識別手段と、前記識別手段による識別結果に基づいて前記交換ユニットの交換履歴を管理する交換履歴管理手段と、前記識別手段による識別結果に基づいてメッセージを出力する報知手段とを備えてなる画像形成装置に関する。
【背景技術】
【０００２】
画像形成装置には、トナー等の消耗品をユーザが容易に交換することができるように交換ユニットとして構成しているものが多い。
【０００３】
前記交換ユニットには、前記画像形成装置のメーカーが製造元である純正品と、前記メーカー以外のサードパーティが製造元である非純正品があり、前記非純正品の交換ユニットを前記画像形成装置に装着して使用すると、前記画像形成装置によって形成された画像品質の低下や、前記画像形成装置に使用されている部品の寿命の短縮を招く等の虞があった。
【０００４】
上述の弊害を防止するために、前記画像形成装置は、搭載されている前記交換ユニットが純正品か否かによってユーザに注意を促すような構成を採用している。
【０００５】
例えば、トナー交換ユニットの場合、トナーの種類、トナー容量、製造番号、機種コード、出荷地域コード、シリアルナンバー等の製造情報を前記トナー交換ユニットに設けられた不揮発性メモリ等に記憶しておき、前記トナー交換ユニットを前記画像形成装置に装着した直後等に、前記画像形成装置は、前記不揮発性メモリから前記製造情報を読み出して、当該トナー交換ユニットが純正品であるか否かを判定する。
【０００６】
前記判定の結果は前記画像形成装置に設けられているＬＣＤパネル等によってユーザに通知される。
【０００７】
また、特許文献１では、非純正品の交換ユニットが使用された場合に動作保証が可能な印刷枚数等の上限値である基準使用量を予め設定しておき、画像形成装置に装着された交換ユニットが純正品か否かの判定結果と、当該交換ユニットによって行なわれた印刷処理の履歴情報とから、非純正品の累積使用量が前記基準使用量を超えた場合にその旨の通知を行ない、前記画像形成装置の制御を変更する技術が提案されている。
【０００８】
【特許文献１】特開２００５−３２６７３７号公報
【発明の開示】
【発明が解決しようとする課題】
【０００９】
上述の構成によると、前記画像形成装置に非純正品の交換ユニットが装着された場合に、非純正品の交換ユニットが装着された旨を通知するメッセージが出力されるが、通常、前記メッセージは「非純正品の交換ユニットが装着された」との情報で構成され、他の情報が出力されることはない。
【００１０】
また、特許文献１では、基準使用量を超えるまでは何らメッセージは出力されず、基準使用量を超えるとメッセージが出力されるが、前段と同様に前記メッセージは同意味の情報、つまり「非純正品の交換ユニットが装着された結果、累積使用量が基準使用量を超えた」との情報で構成され、他の情報が出力されることはない。
【００１１】
よって、非純正品を何回続けて使用しても警告内容が同一であることから、新たに非純正品を装着した場合の警告メッセージの出力が常態化して、非純正品の使用回数が多くなるほど、前記メッセージのユーザに対する警告効果が薄れてしまう。
【００１２】
つまり、本来は、交換ユニットを純正品から非純正品に替えた場合や、非純正品を継続して使用している場合等によって、ユーザに警告すべき内容が異なるにもかかわらず、警告メッセージの内容が固定されているために、前記メッセージのユーザへの警告効果が低くなってしまっている。
【００１３】
本発明の目的は、上述の問題に鑑み、過去の純正品判定結果の履歴に基づいて、今回の純正品判定結果の通知内容や通知方法を変更し、ユーザへの警告効果を高めることのできる画像形成装置を提供する点にある。
【課題を解決するための手段】
【００１４】
上述の目的を達成するため、本発明による画像形成装置の第一の特徴構成は、特許請求の範囲の書類の請求項１に記載した通り、着脱可能な交換ユニットが純正品か非純正品かを識別する識別手段と、前記識別手段による識別結果に基づいて前記交換ユニットの交換履歴を管理する交換履歴管理手段と、前記識別手段による識別結果に基づいてメッセージを出力する報知手段とを備えてなる画像形成装置であって、前記報知手段は、前記交換履歴管理手段により管理される交換履歴に基づいて異なるメッセージを出力する点にある。
【００１５】
上述の構成によれば、前記報知手段が過去から現在における交換ユニットの交換履歴に基づいて異なるメッセージを出力する、例えば、過去に使用された交換ユニットが、純正品が多い場合と非純正品が多い場合とで異なるメッセージを出力するので、ユーザに警告を発する場合に常に同一のメッセージしか出力されないことによるユーザへの警告効果の低減を防止することができる。
【００１６】
同第二の特徴構成は、同請求項２に記載した通り、上述の第一特徴構成に加えて、前記報知手段は、前記交換履歴に対応した複数のメッセージテーブルを備え、前記変換履歴と前記メッセージテーブルに基づいて特定されるメッセージを出力する点にある。
【００１７】
例えば、純正品と非純正品の使用頻度といった内容に基づいて交換履歴のグループを設定しておき、前記交換履歴のグループ毎に前記メッセージテーブルを備えることで、ユーザへの警告内容を前記交換履歴の内容に応じて異なるものとすることができるので、ユーザに警告を発する場合に常に同一のメッセージしか出力されないことによるユーザへの警告効果の低減を防止することができる。
【００１８】
同第三の特徴構成は、同請求項３に記載した通り、上述の第二特徴構成に加えて、前記メッセージテーブルは、前記識別手段により識別された前記交換ユニットの識別メッセージである点にある。
【００１９】
上述の構成によれば、過去の交換履歴に対応した複数のメッセージテーブルによって今回の識別メッセージが示されることから、今回の識別結果を示すだけでなく過去の識別結果と比較した今回の識別結果を示されるので、ユーザに現在使用している交換ユニットをより明確に把握させて警告効果を高めることができる。
【００２０】
同第四の特徴構成は、同請求項４に記載した通り、上述の第二または第三特徴構成に加えて、前記メッセージテーブルは、前記交換ユニットの使用による前記画像形成装置に対する影響度合を伝達する警告メッセージである点にある。
【００２１】
上述の構成によれば、前記メッセージテーブルには、非純正品を使用し続けることによる画像形成装置に及ぼす弊害等の詳細情報が記憶されて、記憶された詳細情報が警告メッセージとして表示されるので、ユーザが非純正品の使用による弊害等を認識することによってユーザへの警告効果を高めることができる。
【発明の効果】
【００２２】
以上説明した通り、本発明によれば、過去の純正品判定結果の履歴に基づいて、今回の純正品判定結果の通知内容や通知方法を変更し、ユーザへの警告効果を高めることのできる画像形成装置を提供することができるようになった。
【発明を実施するための最良の形態】
【００２３】
以下に、本発明を適用した画像形成装置として、複写機能を備えた複写機について説明する。
【００２４】
当該複写機は、図２に示すように、原稿画像を原稿画像データとして読み取る画像読取部１と、前記画像読取部１により読み取られた原稿画像データに所定の処理を施して出力画像データを生成する出力画像データ生成部２と、前記出力画像データ生成部２からの出力画像データに基づいて記録媒体である用紙Ｄに画像を形成して出力する画像形成部３と、当該複写機の複写動作を起動するプリントキーや複写枚数などを設定する数値キーなどのハードキー群とタッチパネル式のカラー液晶表示部からなる操作パネル部４と、前記各部の図示しない制御部を統括制御するシステム制御部５とを備えて構成されている。
【００２５】
前記画像読取部１は、原稿が載置される原稿トレイ１０１と、前記原稿トレイ１０１に載置された原稿を給紙する原稿給紙部（図示せず）と、前記原稿給紙部により給紙された原稿の画像を読み取るＣＣＤリニアセンサ（図示せず）を備えて構成されている。
【００２６】
前記画像形成部３は、前記出力画像データに基づいて感光体３０２にトナー画像を形成するトナー画像形成部３１と、前記トナー画像を加熱して用紙上に定着させる定着部３２と、用紙を搬送する搬送部とを備えて構成されている。
【００２７】
前記トナー画像形成部３１は、前記感光体３１１と、前記感光体３１１の周囲に順に配置され、表面を均一にコロナ帯電する帯電チャージャー３１２と、帯電された前記感光体３１１を露光して静電潜像を形成するプリントヘッド３１３と、形成された静電潜像にトナーを静電付着させてトナー像を顕像化する現像部３１４と、トナーが充填されており前記現像部３１４へトナーを供給する交換ユニットとしてのトナーカートリッジ３１５と、前記トナー像を用紙Ｄに転写する転写部３１６と、転写後に前記感光体３１１に残存するトナーを除去するクリーニング部３１７と、前記感光体３０２表面の残留電位を落して均一にする除電ランプ３１８とを備えて構成されている。
【００２８】
前記搬送部は、給紙カセット３３１と、前記給紙カセット６から前記用紙Ｄを１枚ずつ搬送する給紙搬送部３３２と、給紙された用紙Ｄを前記転写部３１６に搬送して、トナー像が転写された前記用紙Ｄを前記定着部３２に向けて搬送する定着搬送部３３３と、前記定着部３２を通過した前記用紙Ｄを排紙トレイ３３４に排紙する排紙搬送部３３５とを備えて構成されており、前記搬送部の各々には搬送用のローラが設けられている。
【００２９】
前記給紙カセット３３１は、用紙Ｄを補充する場合に、当該複写機から手前に引き出せる構造となっており、引き出した前記給紙カセット３３１に必要に応じて新たな用紙Ｄを補充して再び当該複写機に押し入れるように構成されている。
【００３０】
前記操作パネル部４は、前記画像読取部１の手前側に配置され、図３に示すように、中央部に配置され、複数のメニューキー等が表示され各メニューキーに対する操作を検出するタッチパネル式の表示部４０と、前記表示部４０の上部に配置されプリント・送信・受信・メモリ・エラーの各状況をＬＥＤ表示する状況表示部４１と、主電源の状態をＬＥＤ表示する主電源ＬＥＤ４２と、また前記表示部４０の両側に設けられた種々の入力キー４３を備えて構成されている。
【００３１】
前記システム制御部５は、図１に示すように、所定の制御プログラムに基づいて前記操作パネル部４の表示の制御や、後述する画像読取制御部１００、画像形成制御部３００、および操作制御部４００等の各制御部の制御を行うＣＰＵ（図示せず）と、前記制御プログラムが格納されるＲＯＭ（図示せず）と、作業領域等として使用されるＲＡＭ（図示せず）とを備えて構成されている。
【００３２】
また、前記システム制御部５は、前記画像読取部１による原稿の読取動作を制御する画像読取制御部１００や、前記出力画像データ生成部２と前記画像形成部３を制御する画像形成制御部３００や、前記操作パネル部４の入出力信号を制御する操作制御部４００等の各制御部の各々と内部バス５００を介して接続されており、前記各制御部の動作タイミング等を制御することによって当該複写機の複写動作を制御している。
【００３３】
前記複写機の動作としては、オペレータによる操作パネル部４の操作を受け、原稿トレイ１０１に載置された原稿を画像読取部１で読取ることで取得された画像データに対して出力画像データ生成部２で所定の処理が施され、出力画像データが生成される。または、画像形成部３に備えられた図示しないハードディスク等の記録媒体に保存された画像データが前記操作パネル４の操作から呼び出され、前記画像データに対して前記出力画像データ生成部２で所定の処理が施され、出力画像データが生成される。
【００３４】
一方、給紙カセット３３１から給紙された用紙Ｄは、給紙搬送部３３２と定着搬送部３３３によりトナー画像形成部３１へ搬送され、前記トナー画像形成部３１において、前記出力画像データに基づいて形成されたトナー像が前記用紙Ｄに転写される。
【００３５】
トナー像を転写された前記用紙Ｄは、前記定着搬送部３３３により定着部３２に搬送され、前記定着部３２において、前記トナー像を定着させられてから、排紙搬送部３３５により排紙トレイ３３４に排紙される。
【００３６】
以下に、交換ユニットとしてのトナーカートリッジ３１５について説明する。
【００３７】
前記トナーカートリッジ３１５は、図２および図４に示すように、画像形成装置のカバーを開くことで着脱可能に構成されている。例えば、前記画像形成装置が前面のカバーを開くことによって前記トナーカートリッジ３１５を交換するタイプである場合は、オペレータがグリップ３４０を握りながら押引することで、前記トナーカートリッジ３１５が前記画像形成装置に着脱可能に構成されており、前記トナーカートリッジ３１５は、前記グリップ３４０と、トナーが充填されているカートリッジ本体３４１と、前記カートリッジ本体の内部に備えられている図示しないトナー攪拌部によって攪拌されたトナーを、図４の二点鎖線矢印で示す経路によって前記現像部３１４へ供給するに当たってのトナーの出口部分に相当するトナー排出部３４２と、前記カートリッジ本体３４１の表面に貼付された無線チップ３４３とを備えて構成されている。
【００３８】
前記無線チップ３４３は、自身が貼付されているトナーカートリッジ３１５に充填されているトナーの種類、トナー容量、製造番号、機種コード、出荷地域コード、シリアルナンバーといった製造情報が記憶されているメモリ（図示せず）を備えて構成されている。
【００３９】
前記メモリは、前記画像形成装置への給電を停止しても記憶されている製造情報が消えてしまわないように不揮発性であって、例えば、ＥＥＰＲＯＭ、フラッシュメモリ、ＦｅＲＡＭ等で構成されている。
【００４０】
また、前記画像形成装置において、前記トナーカートリッジ３１５が装着されたときの前記無線チップ３４３の位置の近傍には、前記無線チップ３４３に記憶された製造情報を読み取るための読取器３４４が備えられており、前記読取器３４４は、図４に一点鎖線で示すように、電波によって前記無線チップ３４３と製造情報を無線にて送受信可能に構成されている。
【００４１】
なお、図４に示すように、前記無線チップ３４３と前記読取器３４４の通信を支障なく行なうために、前記トナーカートリッジ３１５が前記画像形成装置に挿入された状態では、前記無線チップ３４３と前記読取器３４４が対向した位置となるように構成されている。
【００４２】
前記読取器３４４によって前記無線チップ３４３から読み取られた前記トナーカートリッジ３１５の製造情報は、前記システム制御部５によって処理される。
【００４３】
前記システム制御部５は、図１に示すように、交換ユニットとしての前記トナーカートリッジ３１５が純正品か非純正品かを識別する識別手段８１と、前記識別手段８１による識別結果に基づいて前記トナーカートリッジ３１５の交換履歴を管理する交換履歴管理手段８２と、前記識別手段８１による識別結果に基づいてメッセージを出力する報知手段８３とを備えて構成されており、これらの手段は、前記ＲＯＭに記憶されているプログラムやデータを、前記ＲＡＭ上に展開された製造情報等のデータに基づいて、前記ＣＰＵによって演算実行されることにより実現されている。
【００４４】
前記識別手段８１は、新しく画像形成装置に装着されたトナーカートリッジ３１５の無線チップ３４３に記憶されている製造情報を前記画像形成装置の本体、例えば、前記ＲＯＭに記憶されている製造情報と照合することによって、当該トナーカートリッジ３１５が純正品であるか否かの識別を行なうように構成されている。比較照合は、例えば、両製造情報を作業領域としての前記ＲＡＭに転送することによって行なう。
【００４５】
詳述すると、前記識別手段８１は、前記読取器３４４が前記無線チップ３４３から読み取った製造情報のうちの機種コードと出荷地域コードを読み取るとともに、前記ＲＯＭに記憶されている製造情報のうちの対応する機種コードと出荷地域コードを読み取り、両者を比較して正規の対応関係にない場合は当該トナーカートリッジ３１５は非純正品であると判定する。
【００４６】
正規の対応関係とは、例えば、前記機種コードであれば、同種のトナーカートリッジ３１５を使用することができる機種である関係、前記出荷地域コードであれば、トナーカートリッジの規格が同一の国または地域向けに輸出する製品である関係である。
【００４７】
次に、前記識別手段８１は、前記読取器３４４が前記無線チップ３４３から読み取った製造情報のうちのトナー切れ回数を読み取って、前記トナー切れ回数が零であるか否かを判定し、零でない場合には当該トナーカートリッジ３１５は非純正品であると判定する。つまり、この場合は、当該トナーカートリッジ３１５が純正品であるか否かにかかわらず、当該トナーカートリッジ３１５に含まれるトナーのみが交換されていると擬制して非純正品であると判定するのである。
【００４８】
以上の比較照合を行なった結果、非純正品であると判定されなかったトナーカートリッジ３１５は純正品であると判定される。
【００４９】
前記交換履歴管理手段８２は、トナーカートリッジ３１５の交換日付毎に区分された複数のレコードを備えて構成され、各レコードは装着されたトナーカートリッジ３１５の純正品、非純正品の種別フィールド、前記トナーカートリッジ３１５の製造情報フィールド等の各フィールドデータで構成されている。また、  前記製造情報フィールドは、トナーの種類、トナー容量、製造番号、機種コード、出荷地域コード、シリアルナンバー等のフィールドデータより構成されている。
【００５０】
前記報知手段８３は、前記識別手段８１による識別結果、および、前記交換履歴管理手段８２により管理される交換履歴に基づいて異なるメッセージを出力するように構成されている。
【００５１】
以下に詳述する。前記報知手段８３は、前記交換履歴に対応した複数のメッセージテーブルを備え、前記変換履歴と前記メッセージテーブルに基づいて特定されるメッセージを出力するように構成されている。
【００５２】
前記メッセージテーブルは、前記識別手段８１により識別された前記トナーカートリッジ３１５の識別メッセージであり、例えば、図５に示すように、前回の判定結果と今回の判定結果の４種類の異なるメッセージが出力されるように構成されている。
【００５３】
また、前記メッセージテーブルは、前記トナーカートリッジ３１５の使用による前記画像形成装置に対する影響度合を伝達する警告メッセージであり、例えば、図６に示すように、今回の判定結果と過去に非純正品が装着された回数とに基づいて７種類の異なるメッセージが出力されるように構成されている。
【００５４】
前記報知手段８３は、図５と図６に示す判定結果のメッセージを、図７に示すように、前記操作パネル部４に表示させる。なお、前記画像形成装置が、外部接続されているＰＣ上の操作画面への表示を行なう構成である場合は、前記ＰＣ上の操作画面へ判定結果を表示してもよい。
【００５５】
以下、画像形成装置によって行なわれるトナーカートリッジ３１５の純正品、非純正品の判定動作を、図８から図１１のフローチャートに基づいて説明する。図８では純正品、非純正品の判定動作を、図９では判定動作におけるカートリッジ交換判定処理の詳細を、図１０では判定動作における純正品表示処理の詳細を、図１１では判定動作における非純正品表示処理の詳細を説明する。
【００５６】
以下、図８に示す純正品、非純正品の判定動作について説明する。
【００５７】
画像形成装置が、トナーカートリッジ３１５を取り出すために開閉可能となっているカバーが開いていること、または、電源投入直後であることを検知して（ＳＡ１）、その後、前記カバーが閉じていることを検知した場合は（ＳＡ２）、図９において後述するトナーカートリッジ３１５の交換判定処理を行なう（ＳＡ３）。
【００５８】
ステップＳＡ３における交換判定処理の結果、トナーカートリッジ３１５が交換されたことが検知された場合には（ＳＡ４）、交換されたトナーカートリッジ３１５が純正品であるか否かの判定処理が識別手段８１によって行なわれる（ＳＡ５）。
【００５９】
ステップＳＡ５における判定処理の結果が、交換したトナーカートリッジ３１５が純正品であるとの結果である場合（ＳＡ６）、過去に純正品のトナーカートリッジが何回装着されたのかを示す純正品カウントのカウント値を１だけ増加させて（ＳＡ７）、図１０において後述する当該トナーカートリッジ３１５が純正品である旨を操作パネル部４に表示する処理を行なう（ＳＡ８）。
【００６０】
一方、ステップＳＡ５における判定処理の結果が、交換したトナーカートリッジ３１５が非純正品であるとの結果である場合（ＳＡ６）、過去に非純正品のトナーカートリッジが何回装着されたのかを示す非純正品カウントのカウント値を１だけ増加させて（ＳＡ９）、図１１において後述する当該トナーカートリッジ３１５が非純正品である旨を操作パネル部４に表示する処理を行なう（ＳＡ１０）。
【００６１】
最後に、交換履歴管理手段８２が、今回のトナーカートリッジ３１５の交換に関する情報、つまり、今回の交換日付、装着されたトナーカートリッジ３１５の純正品、非純正品の種別、そして交換したトナーカートリッジ３１５の製造情報等の情報を画像形成装置のＲＯＭ５１に格納させる（ＳＡ１１）。
【００６２】
以下、図９に示す判定動作におけるカートリッジ交換判定処理について説明する。
【００６３】
識別手段８１は、今回装着したトナーカートリッジ３１５の無線チップ３４３に記憶されている製造情報のうちシリアルナンバー等の当該画像形成装置を識別できるコードを読み込んで画像形成装置のＲＡＭに記憶させるとともに（ＳＢ１）、前記画像形成装置のＲＯＭに記憶されている前回装着されていたトナーカートリッジの製造情報のうちシリアルナンバー等の当該画像形成装置を識別できるコードを読み込んで前記ＲＡＭに記憶させる（ＳＢ２）。
【００６４】
読み込んだ製造情報のうち、シリアルナンバーが一致していない場合は（ＳＢ３）、新しく装着されたトナーカートリッジ３１５は前回装着されていたものと異なる、つまり、トナーカートリッジは交換されたと判定される（ＳＢ４）。
【００６５】
一方、シリアルナンバーが一致している場合であって（ＳＢ３）、前回装着されていたトナーカートリッジがトナー切れであった場合、つまり、今回装着したトナーカートリッジ３１５がトナー切れ状態からの復帰を示す場合は（ＳＢ５）、今回装着したトナーカートリッジ３１５の無線チップ３４３に記憶されている製造情報のうちのトナー切れ回数を読み込んで前記ＲＡＭに記憶させるとともに（ＳＢ６）、前記ＲＯＭに記憶されている前回装着されていたトナーカートリッジの製造情報のうちのトナー切れ回数を読み込んで前記ＲＡＭに記憶させる（ＳＢ７）。
【００６６】
読み込んだ両トナー切れ回数を比較して一致している場合は（ＳＢ８）、新しく装着されたトナーカートリッジ３１５は前回装着されていたものと同一、つまり、トナーカートリッジは交換されていないと判定される（ＳＢ９）、一致していない場合は（ＳＢ８）、トナーカートリッジの中身が充填されたと判断し、実質的にトナーカートリッジが交換されたと判定される（ＳＢ４）。
【００６７】
以下、図１０に示す判定動作における純正品表示処理について説明する。
【００６８】
識別手段８１が、画像形成装置のＲＯＭに記憶されているトナーカートリッジの前回交換時の判定結果を読み込んで前記画像形成装置のＲＡＭに記憶させる（ＳＣ１）。
【００６９】
報知手段８３は、ステップＳＣ１で記憶させられた前回交換時の判定結果を参照して、前回装着されていたトナーカートリッジが純正品である場合は（ＳＣ２）、図５に示すメッセージ番号ＭＡ１−１に対応するメッセージを操作パネル部４に表示させ（ＳＣ３）、前回装着されていたトナーカートリッジが非純正品である場合は（ＳＣ２）、図５に示すメッセージ番号ＭＡ１−２に対応するメッセージを前記操作パネル部４に表示させる（ＳＣ４）。
【００７０】
次に、前記報知手段８３は、前記ＲＯＭに記憶されている非純正品カウント値を読み込んで前記ＲＡＭに記憶させて（ＳＣ５）、前記非純正品カウント値から過去に当該画像形成装置に非純正品が装着された回数を参照して、回数に応じたメッセージを前記操作パネル部に表示させる（ＳＣ６）。
【００７１】
つまり、図６に示すメッセージテーブルを使用する場合、回数が０回であれば、図６に示すメッセージ番号ＭＡ２−１に対応するメッセージを（ＳＣ７）、回数が１から５回であれば、図６に示すメッセージ番号ＭＡ２−２に対応するメッセージを（ＳＣ８）、回数が６から１０回であれば、図６に示すメッセージ番号ＭＡ２−３に対応するメッセージを（ＳＣ９）、そして回数が１１回以上であれば、図６に示すメッセージ番号ＭＡ２−４に対応するメッセージを（ＳＣ１０）表示させる。
【００７２】
以下、図１１に示す判定動作における非純正品表示処理について説明する。
【００７３】
識別手段８１が、画像形成装置のＲＯＭに記憶されているトナーカートリッジの前回交換時の判定結果を読み込んで前記画像形成装置のＲＡＭに記憶させる（ＳＤ１）。
【００７４】
報知手段８３は、ステップＳＤ１で記憶させられた前回交換時の判定結果を参照して、前回装着されていたトナーカートリッジが純正品である場合は（ＳＤ２）、図５に示すメッセージ番号ＭＢ１−１に対応するメッセージを操作パネル部４に表示させ（ＳＤ３）、前回装着されていたトナーカートリッジが非純正品である場合は（ＳＤ２）、図５に示すメッセージ番号ＭＢ１−２に対応するメッセージを前記操作パネル部に表示させる（ＳＤ４）。
【００７５】
次に、前記報知手段８３は、前記ＲＯＭに記憶されている非純正品カウント値を読み込んで前記ＲＡＭに記憶させて（ＳＤ５）、前記非純正品カウント値から過去に当該画像形成装置に非純正品が装着された回数を参照して、回数に応じたメッセージを前記操作パネル部に表示させる（ＳＤ６）。
【００７６】
つまり、図６に示すメッセージテーブルを使用する場合、回数が１から５回であれば、図６に示すメッセージ番号ＭＢ２−１に対応するメッセージを（ＳＤ７）、回数が６から１０回であれば、図６に示すメッセージ番号ＭＢ２−２に対応するメッセージを（ＳＤ８）、そして回数が１１回以上であれば、図６に示すメッセージ番号ＭＢ２−３に対応するメッセージを（ＳＤ９）表示させる。
【００７７】
以下、別実施形態について説明する。
【００７８】
上述の実施形態では、無線チップ３４３と読取器３４４が無線にて送受信する方式について説明したが無線方式でなくてもよい。例えば、前記無線チップ３４３に雄コネクタが、前記読取器３４４に雌コネクタが備えられており、トナーカートリッジ３１５を挿入すると、前記無線チップ３４３と前記読取器３４４がコネクタ接続された状態となって製造情報の送受信が可能となるような構成であってもよい。
【００７９】
上述の実施形態における無線チップ３４３と読取器３４４との間の情報の送受信の方式の具体例として、ＲＦＩＤ（Ｒａｄｉｏ  Ｆｒｅｑｕｅｎｃｙ  Ｉｄｅｎｔｉｆｉｃａｔｉｏｎ）タグを用いた通信方式を用いることができる。ＲＦＩＤタグを用いた通信方式を用いた場合は、機種コード、シリアルナンバー等の製造情報の照合の代わりに、ＲＦＩＤタグを一意に識別するための情報である識別情報（ＵＩＤ）を利用して、個々のトナーカートリッジ３１５を識別する構成としてもよい。
【００８０】
上述の実施形態では、過去に非純正品が装着された回数に基づいて異なるメッセージを出力する構成について説明したが、これに限られるものではなく、例えば、過去に純正品が装着された回数と非純正品が装着された回数との比率に基づいて異なるメッセージが特定されるメッセージテーブルを備えた構成や、装着回数ではない直近１０回分の純正品、非純正品の判定結果の順序に基づいて異なるメッセージが特定されるメッセージテーブルを備えた構成であってもよい。
【００８１】
上述の実施形態では、メッセージの表示例を図７に示したが、表示は図７に示したものに限らない。例えば、図７に示した情報に追加して、純正品の購入方法や販売元の連絡先等を表示する構成であってもよい。
【００８２】
上述の実施形態では、報知手段８３は、操作パネル部４の表示部４０にメッセージを表示する構成について説明したが、前記報知手段８３は、メッセージ表示以外の手段でオペレータに報知する構成であってもよく、例えば、前記報知手段８３は、図５と図６に示すようなメッセージを音声によって当該複写機のオペレータに知らせる構成であってもよい。
【００８３】
他例としては、操作パネル４に警告用ＬＥＤを設けておき、当該ＬＥＤの点滅等によってオペレータに知らせる構成、前記操作パネル４に警告用ブザーを設けておき、当該ブザー音によってオペレータに知らせる構成がある。
【００８４】
さらに、これら複数の警告方法を通知内容に重要度に応じて替える構成であってもよい。
【００８５】
上述の実施形態では、本発明を適用した画像形成装置として、複写機能を備えた複写機について説明したが、前記画像形成装置は、着脱可能な交換ユニットを使用する構成を有する機器であれば複写機以外であってもよく、例えばプリンタ、ＦＡＸ、または複合機等であってもよい。
【００８６】
上述した実施形態は何れも本発明の一実施例に過ぎず、当該記載により本発明の範囲が限定されるものではなく、各部の具体的構成は本発明による作用効果を奏する範囲において適宜変更することができることはいうまでもない。
【図面の簡単な説明】
【００８７】
【図１】本発明を適用した画像形成装置の各制御部の機能ブロック構成図
【図２】複写機の説明図
【図３】複写機の操作パネル部の説明図
【図４】トナーカートリッジの説明図
【図５】交換ユニットの識別メッセージであるメッセージテーブルの説明図
【図６】画像形成装置に対する影響度合伝達メッセージであるメッセージテーブルの説明図
【図７】操作パネル部のメッセージ表示の説明図
【図８】純正品、非純正品の判定動作についてのフローチャート
【図９】判定動作におけるカートリッジ交換判定処理についてのフローチャート
【図１０】判定動作における純正品表示処理についてのフローチャート
【図１１】判定動作における非純正品表示処理についてのフローチャート
【符号の説明】
【００８８】
３：画像形成部
４：操作パネル部
５：システム制御部
８１：識別手段
８２：交換履歴管理手段
８３：報知手段
３１４：現像部
３１５：トナーカートリッジ
３４０：グリップ
３４１：カートリッジ本体
３４２：トナー排出部
３４３：無線チップ
３４４：読取器
【図１】
2008058457.tif 000003
【図２】
2008058457.tif 000004
【図４】
2008058457.tif 000005
【図５】
2008058457.tif 000006
【図６】
2008058457.tif 000007
【図７】
2008058457.tif 000008
【図８】
2008058457.tif 000009
【図９】
2008058457.tif 000010
【図１０】
2008058457.tif 000011
【図１１】
2008058457.tif 000012
【図３】
2008058457.tif 000013